(57)【要約】【課題】  寝具状の温熱治療器に、清涼機能を付加し、春夏秋冬オールシーズンを快適に睡眠できるように人の睡眠リズムに合わせて効果的に機能を制御し快適な寝床環境を得て快眠を支えると共に、寝ながらに温熱効果により健康づくりを行うことができる温熱治療器を提供する。【解決手段】  寝台５１の上に載置され、寝具として使用可能な緩衝体１の内部に温熱手段６と空間材４を備えるとともに、前記緩衝体１の上表面の空気を前記空間材４を介して吸い出すように前記寝台５１に送風手段１２を備え、各手段６、１２は予めプログラムした制御プログラムにしたがって制御する制御手段１９により運転する。【選択図】  図１
2005087234.tif 000002
【特許請求の範囲】
【請求項１】
寝台（５１）の上に載置され、寝具として使用可能な緩衝体（１）の内部に温熱手段（６）と空間材（４）を備えるとともに、前記緩衝体（１）の上表面の空気を前記空間材（４）を介して吸い出すように前記寝台（５１）に送風手段（１２）を備え、前記各手段（６）、（１２）は予めプログラムした制御プログラムにしたがって制御する制御手段（１９）により運転することを特徴とする温熱治療器。
【請求項２】
寝具として使用可能な緩衝体（１）と、この緩衝体（１）を覆う表布（２）と、この表布（２）に設けられた吸引孔（３）と、前記表布（２）の下に設けられ通気性と放湿性を有する素材で構成された空間材（４）と、この空間材（４）の下に設けられた保持シート（５）と、この保持シート（５）により上下から挟まれた温熱手段（６）と、前記保持シート（５）の下に設けられた断熱性を有する緩衝材（８）と、前記保持シート（５）と前記緩衝材（８）の一部を切り欠いて設けた気体通路（９）と、緩衝材（８）の一部に設けた切り欠け部（１０）と、この切り欠け部（１０）に備えられた電源ユニット（１３）と、前記緩衝体（１）を載置する寝台（５１）と、緩衝体（１）を寝台（５１）に載置した時、緩衝材（８）に設けられた気体通路（９）と対応する位置の寝台（５１）に設けられた送風手段（１２）と、前記各手段（６）、（１２）を制御する制御手段（１９）を内蔵したコントローラ（１５）とを具備して成ることを特徴とする温熱治療器。
【請求項３】
緩衝体（１）を載置する寝台（５１）の台（５２）を非可動台（５７）と可動台Ａ（５５）と可動台Ｂ（５６）に三分割し、この可動台Ａ（５５）と可動台Ｂ（５６）を上に跳ね上げることにより伸縮自在とし、非可動台（５７）に送風手段（１２）を設けたことを特徴とする請求項１、２記載の温熱治療器。
【発明の詳細な説明】
【技術分野】
【０００１】
本発明は、春、夏、秋、冬の各季節において快適な睡眠環境を得ることが出来るとともに、温熱治療の効果も有する温熱治療器に関するものである。
【背景技術】
【０００２】
従来、この種の温熱治療器は、ふとん状やマット状となっており、その内部には温熱治療用の発熱体が設けられ、また、合成繊維系の綿やスポンジ状のクッション材の組み合わせで構成され、温熱治療器の表面は、綿布や羊毛など普通の寝具と同様に吸湿性のある自然素材の布で覆われて構成されている（例えば、特許文献１、特許文献２参照）。
【０００３】
また、寝具表布の下部に空間材を設けるとともに、吸気ユニットを設けることにより、寝具表布から吸気し、人体からの熱気や湿気を寝具外に放出する清涼機能を兼ね備えたものが提案されている（例えば、特許文献３参照）。
【０００４】
なお、このような温熱治療器は、次のような効果・効能を有しているものである。すなわち、温熱治療により血行の促進や、疲労の回復、筋肉疲労の回復、神経痛を和らげる、胃腸の働きを活発にする等の効果・効能を有しているものである。
【０００５】
【特許文献１】特開昭６３−７９６７１号公報
【０００６】
【特許文献２】特開平２−２６４６１０号公報
【特許文献３】特開２００２−７８５７０号公報
【発明の開示】
【発明が解決しようとする課題】
【０００７】
しかしながら、上記従来の温熱治療器は、寝具として寝ながらに温熱効果により健康づくりを行うものであるが、これらの温熱効果に清涼機能を付加し、春夏秋冬オールシーズンを快適に睡眠できるように人の睡眠リズムに合わせて効果的に機能を制御し快眠を支えると共に、健康促進を計ることが出来る製品はなかった。
【課題を解決するための手段】
【０００８】
本発明は上記の課題を解決するためになされたものであり、請求項１では、寝台の上に載置され、寝具として使用可能な緩衝体の内部に温熱手段と空間材を備えるとともに、前記緩衝体の上表面の空気を前記空間材を介して吸い出すように前記寝台に送風手段を備え、前記各手段は予めプログラムした制御プログラムにしたがって制御する制御手段により運転するものである。
【０００９】
請求項２では、寝具として使用可能な緩衝体と、この緩衝体を覆う表布と、この表布に設けられた吸引孔と、前記表布の下に設けられ通気性と放湿性を有する素材で構成された空間材と、この空間材の下に設けられた保持シートと、この保持シートにより上下から挟まれた温熱手段と、前記保持シートの下に設けられた断熱性を有する緩衝材と、前記保持シートと前記緩衝材の一部を切り欠いて設けた気体通路と、緩衝材の一部に設けた切り欠け部と、この切り欠け部に備えられた電源ユニットと、前記緩衝体を載置する寝台と、緩衝体を寝台に載置した時、緩衝材に設けられた気体通路と対応する位置の寝台に設けられた送風手段と、前記各手段を制御する制御手段を内蔵したコントローラとを具備したものである。
【００１０】
請求項３では、緩衝体を載置する寝台の台を非可動台と可動台Ａと可動台Ｂに三分割し、可動台Ａと可動台Ｂを上に跳ね上げことにより伸縮自在とし、前記非可動台に送風手段を設けたものである。
【発明の効果】
【００１１】
本発明の温熱治療器は、寝台の上に載置され、寝具として使用可能な緩衝体の内部に温熱手段と空間材を備えるとともに、前記緩衝体の上表面の空気を前記空間材を介して吸い出すように前記寝台に送風手段を備え、各手段は予めプログラムした制御プログラムにしたがって制御する制御手段により運転することにより、寝台の上に載置された寝具に寝ながらに温熱効果により健康づくりを行いながら、さらに清涼機能を付加したことにより快適に睡眠することができる。
【００１２】
また、送風手段を寝台に設けたことにより、送風手段の騒音や振動が寝ている人に届きにくくすることができる。
【００１３】
また、送風手段から排出される空気が寝台の下部の空間にスムーズに排出されるため、排出される空気が寝ている人に影響を与えることがなく清涼感が損なわれることがない。
【００１４】
また、緩衝体内に送風手段がないため、緩衝体の重量を軽くすることができ、緩衝体の清掃や収納、移動等の取り扱いが楽になるとともに、異物感がなく使用感を良好にすることができる。
【００１５】
また、寝具として使用可能な緩衝体と、この緩衝体を覆う表布と、この表布に設けられた吸引孔と、前記表布の下に設けられ通気性と放湿性を有する素材で構成された空間材と、この空間材の下に設けられた保持シートと、この保持シートにより上下から挟まれた温熱手段と、前記保持シートの下に設けられた断熱性を有する緩衝材と、前記保持シートと前記緩衝材の一部を切り欠いて設けた気体通路と、緩衝材の一部に設けた切り欠け部と、この切り欠け部に備えられた電源ユニットと、前記緩衝体を載置する寝台と、緩衝体を寝台に載置した時、緩衝材に設けられた気体通路と対応する位置の寝台に設けられた送風手段と、前記各手段を制御する制御手段を内蔵したコントローラとを具備したことにより、緩衝体を寝台の上に載置するだけで緩衝体の気体通路を介して緩衝体の上表面の空気を送風手段により吸い出すことができるため、簡単に設置できて使い勝手が良い。
【００１６】
また、緩衝体を載置する寝台の台を非可動台と可動台Ａと可動台Ｂに三分割し、可動台Ａと可動台Ｂを上に跳ね上げことにより伸縮自在とし、前記非可動台に送風手段を設けたことにより、未使用時には寝台を縮めることができるため収納スペースが小さくでき収納性が良い。
【発明を実施するための最良の形態】
【００１７】
以下本発明の一実施例を図１〜図１１を参照して説明する。
【００１８】
図１は本発明の一実施例を示す温熱治療器の概略縦断面図、図２は同じく概略斜視図、図３は同じく緩衝体の概略斜視図、図４は同じく未使用時に寝台を縮めた時の説明図、図５は同じく制御回路のブロック図、図６は同じくコントローラの操作キーの説明図、図７は同じく冬コース運転動作説明図、図８は同じく夏コース運転動作説明図、図９は同じく清涼運転動作の詳細説明図、図１０は同じく春／秋コース運転動作説明図、図１１は同じく乾燥／防臭運転動作説明図である。
【００１９】
図において、１は寝具として使用可能な緩衝体で、この上に人体が仰臥する。２は緩衝体１を覆う表布、３は表布２に設けられた吸引孔であり、緩衝体１に人が寝た時腰から背中にかけて設けられている。
【００２０】
４は空間材で、表布２の下に設けられており、通気性と放湿性に優れ、また、体圧を分散することができる三次元構造繊維素材で構成されている。
【００２１】
５は保持シートで、上下２枚の通気性を有するシート材よりなり、空間材４の下に設けられている。そして、この保持シート５の間には上下から挟まれた後記する温熱手段６を有している。
【００２２】
８は緩衝材で、保持シート５の下に設けてあり、断熱性を有しているものである。
【００２３】
６は温熱手段で、緩衝体１内に設置されている。本実施例ではコード状のヒータが保持シート５の間に蛇行して配置され、緩衝体１を加熱するものであり、詳細は緩衝体１の上面全体を加熱するように配置した全体温熱ヒータ６ａと、仰臥する人体の足元だけを加熱するように配置した足元温熱ヒータ６ｂの２種類から成っている。そして、この温熱手段６のコード状のヒータ内部には図示しないがヒータ線と信号線がスパイラル状にプラスチックサーミスタの感熱層を挟んで巻き付けられていて、この感熱層のインピーダンス変化を後記するヒータ温度センサ回路３０６で検出して温熱手段６の温度コントロールを行っている。
【００２４】
９は気体通路で、緩衝材８の片側側面の略中央部に近い部分の保持シート５と緩衝材８の一部を切り欠いて設けてあり、吸引孔３から吸引した空気を空間材４を通し、この気体通路９を介して後記する送風手段１２により吸引し緩衝体１外に排出するためのものである。
【００２５】
１０は緩衝材８の一部を切り欠いて設けた切り欠け部、１３は電源ユニットで、前記切り欠け部１０内に設けられ、各部に電源を供給したり、温熱手段６と後記する送風手段１２をＯＮ／ＯＦＦする回路が内蔵されている。
【００２６】
１１は電源ユニット１３と送風手段１２とを接続する接続線で、コネクタ（図示せず）で簡単に接続することができるようになっている。
【００２７】
５１は寝台で緩衝体１に対応する大きさを有する台５２と、床５４から台５２を離間させる脚５３を有している。そして、台５２は非可動台５７と可動台Ａ５５と可動台Ｂ５６から成り、緩衝体１を寝台１の上に載置して使用するが、未使用時の時は図４に示すように緩衝体１を外し可動台Ａ５５、可動台ｂ５６を上に跳ね上げることにより収納スペースを小さくすることができるように成っている。
【００２８】
１２は送風手段で、寝台５１の非可動台５７に設けてあり、寝台５１に緩衝体１を載置したとき、緩衝材８に設けられた気体通路９と対応する位置となるように設けてあり、この送風手段１２により緩衝体１の上表面の空気を吸引孔３から空間材４を介し、気体通路９を通して送風手段１２の吸引孔から吸引し、緩衝体１外に排気するものであり、送風ファンで構成している。
【００２９】
５４は送風手段１２を非可動台５７に設置するために非可動台５７に設けた切り欠け部である。
【００３０】
１４は差し込みプラグで、送風手段１２から分岐しており、電源に接続するものである。
【００３１】
１５はコントローラで、送風手段１２から分岐して設けられており、内部には後記するマイコン３１２で構成された制御手段１９と、上面には操作キー２０が設けてあり、使用者の操作により温熱手段６と送風手段１２等を制御するものである。
【００３２】
１６は枕、１７は掛ふとん、１８は人体であり、通常、人体１８は緩衝体１の上に仰臥し枕１６等を使用し掛けふとん１７等の保温材を用いて使用する。
【００３３】
次に図５の回路ブロック図について説明する。
【００３４】
１９は制御手段で、マイコン３１２で構成され、温熱手段６、送風手段１２を予めプログラムした複数の運転方法に従って制御して運転するものである。
【００３５】
３０２はヒータ制御回路で、温熱手段６の通電のＯＮ／ＯＦＦを行い設定温度になるように通電を行うものである。
【００３６】
３０４はリレースイッチで、温熱手段６の電源をＯＮ／ＯＦＦするスイッチである。
【００３７】
３０５はリレースイッチで、全体を加熱する温熱ヒータ６ａと足元を加熱する温熱ヒータ６ｂの通電を切り換えるスイッチである。
【００３８】
３０６はヒータ温度センサ回路で、温熱手段６の温度を該温熱手段６に内蔵した感熱層のナイロンサーミスタのインピーダンス変化を検知し、温度制御するためのセンサ回路である。
【００３９】
３０７は室温センサで、コントローラ１５内に設けられていて室温を検知するものである。
【００４０】
２０は操作キーで、コントローラ１５の上面に設けてある。
【００４１】
３０９は送風ファン駆動回路で、送風手段１２のＯＮ／ＯＦＦ及び送風する風量を「強、中、弱」の３段階の出力となるように駆動するものである。
【００４２】
３１０はリレー回路で、リレースイッチ３０４、３０５をＯＮ／ＯＦＦ制御するものである。
【００４３】
３１１は表示回路で、後記する時間設定表示器４０６、温度調節表示器４０７、ＬＥＤ１〜４、７、９〜１３等を表示する回路である。
【００４４】
３１２はマイコンで、ヒータ温度センサ回路３０６、操作キー２０、室温センサ３０７からの信号を入力し、ヒータ制御回路３０２、送風ファン駆動回路３０９、リレー回路３１０、表示回路３１１へ制御信号を出力して制御するものである。
【００４５】
３１３は電源回路で、各制御回路に電源を供給するものである。
【００４６】
３１４はクロック回路で、マイコン３１２にクロック信号を供給するものである。
【００４７】
次に、図６に示すコントローラ１５の上面に設けられた操作キー２０について説明する。
【００４８】
２１は運転コース選択キーで、制御手段１９に予め運転方法をプログラムしてある複数の運転コースの中から、季節に応じて選択できるように次のような３個の操作キーから構成されている。すなわち、４０１は冬コース操作キー、４０２は春／秋コース操作キー、４０３は夏コース操作キーであり、冬コース操作キー４０１は室温の低い冬季に主に用い、夏コース操作キー４０３は室温の高い夏季に主に用い、春／秋コース操作キー４０２は冬と夏の中間の室温の時に主に用いられるものである。
【００４９】
そして、これらの操作キーで選択される各コースをおまかせ快眠コースと称している。
【００５０】
また、各操作キーにはその操作キーを操作したとき点灯する表示器ＬＥＤ２、ＬＥＤ３、ＬＥＤ４が設けてある。
【００５１】
ＬＥＤ７とＬＥＤ９は温熱手段６、送風手段１２に対応した表示器で、各手段が運転されるとき点灯して使用者に分かり易くしているものである。
【００５２】
４０６は２桁の数字を表示する時間設定表示器であり、表示内容はタイマー時間を「１〜１２」（１〜１２ｈ）の範囲で表示するものである。
【００５３】
４０７は１桁の数字を表示する温度調節表示器であり、表示内容は温熱手段６の設定温度のレベルを「１〜９」の数字で表示するものであり、この「１〜９」は、温熱手段６の設定温度の２８℃、３１℃、３３℃、３５℃、３７℃、４０℃、４４℃、４９℃、５５℃に対応している。
【００５４】
４０８、４０９は時間設定操作キー、４１０、４１１は温度調節操作キーであり、矢印が下向きの操作キーである４０８、４１０を押すと設定レベルを下げることができ、矢印が上向きの操作キーである４０９、４１１を押すと設定レベルを上げることができる。
【００５５】
４１２〜４１６は温熱運転操作キー、清涼運転操作キー、予熱運転操作キー、乾燥／防臭運転操作キーで、これらの操作キーを押すことによりお好みの運転を単独で運転することができる。
【００５６】
ＬＥＤ１０は予熱運転操作キー４１５を押すと点灯し、ＬＥＤ１１は乾燥／防臭運転を行う操作キー４１６を押すと点灯するものである。
【００５７】
ＬＥＤ１２、１３は温熱手段６の温熱面の切り換えを分かり易く表示する表示器で、全体温熱ヒータ６ａで加熱されるときはＬＥＤ１２とＬＥＤ１３が点灯し、足元温熱ヒータ６ｂで加熱されるときはＬＥＤ１３が点灯するようになっている。
【００５８】
４１７は温熱面切換操作キーで、お好み選択の温熱運転操作キー４１２を押した後、操作することにより温熱面を切り換えることができるもので、一回押すと足元温熱ヒータ６ｂの通電が選択され、ＬＥＤ１３が点灯し、さらに続けて押すと全面温熱ヒータ６ａの通電が選択され、ＬＥＤ１２、１３の両方が点灯し、さらに押すたびに温熱面の選択が変わり、最後に表示された温熱面が選択できるようになっている。
【００５９】
４１８は切操作キーで全体の通電を停止するとき使用するものである。
【００６０】
ＬＥＤ１は差し込みプラグ１４を電源に接続すると点灯するものである。
【００６１】
次に、以上の構成による作用について説明する。
【００６２】
最初に寝台５１を伸ばし、台５２の上に緩衝体１を乗せる。このとき緩衝体１の気体通路９が寝台５１に設けた送風手段１２の吸引孔に重なるように乗せる。
【００６３】
次に、緩衝体１の電源ユニット１３と寝台５１の送風手段１２間を接続線１１のコネクタで結ぶ。
【００６４】
そして、緩衝体１の上に掛ふとん１７をかぶせ、差し込みプラグ１４を電源に接続し、室温の低い冬季等にコントローラ１５の上面に設けられた操作キー２０の冬コース操作キー４０１を押すとＬＥＤ２、７、８と、ＬＥＤ１２、１３が点灯し温熱面として全体温熱ヒータ６ａが選択され、自動的に時間設定表示器４０６に設定時間が８ｈである「８」と、温度調節表示器４０７に設定温度が３３℃である「３」が表示され、タイマーによる通電を開始する。なお、これらの時間設定表示と温度調節表示は、予め工場出荷時に設定された初期値が表示されるものであり、平均的に良く使われる値となっている。
【００６５】
そして、通電を開始すると、図７（ａ）に示すように、温熱手段６が通電される温熱運転が開始され、掛ふとん１７の内部の寝床内温度を上昇させるように全体温熱ヒータ６ａが強制的に温度調節「９」（設定温度５５℃）で０．５ｈ運転され、その後、温度調節「３」（設定温度３３℃）で規定時間Ｔ１（１．５ｈ）間運転されるようになる。
【００６６】
そして、この規定時間Ｔ１の間は、寝床内温度が設定温度の３３℃以上になると、全体温熱ヒータ６ａの通電をＯＦＦし、寝床内温度が低下して設定温度の３３℃以下になると、全体温熱ヒータ６ａの通電をＯＮして寝床内温度を一定に保つ。
【００６７】
次に、寝床内温度の設定温度を１℃下げた運転が、タイマー時間（８ｈ）が終了する前の規定時間Ｔ３までの間の規定時間Ｔ２（４ｈ）間行われる。次に、寝床内温度の設定温度を３℃上げた運転を規定時間Ｔ３（２ｈ）間行い、タイマーによる全ての運転を終了する。ところで、本実施例では規定時間Ｔ２間は設定温度を１℃下げ、Ｔ３間は３℃上げるようにしたが、実験によれば１℃〜５℃の範囲で下げ、１℃〜１０℃の範囲で上げるのが好ましい。
【００６８】
また、冬コース操作キー４０１を押した後、温度調節キー４１０、４１１と時間設定キー４０８、４０９を押すと設定温度と時間設定を任意に選択することができ、その時の各規定時間Ｔ１、Ｔ２、Ｔ３は時間設定が５ｈ以上の場合と、時間設定が４ｈ以内の場合で図７（ｂ）に示すように設定時間により変化するようにしている。
【００６９】
このように、冬コース操作キー４０１を押すことで、寝床内温度を睡眠時の人の体温変化に合わせて変動することができ、また、目覚め時に寝床内温度を上げることで血管を拡張させ、血液の流れを良くすることができる。
【００７０】
また、緩衝体１を寝台５１の上に載置するだけで緩衝体１の気体通路９を介して緩衝体１の上表面の空気を送風手段１２により吸い出すことができるようになるため、簡単に設置できて使い勝手が良い。
【００７１】
次に、室温の高い夏季等におまかせ快眠コースの夏コース操作キー４０３を押した時の動作を説明する。
【００７２】
室温が規定温度である２３℃以上の場合に夏コース操作キー４０３を押すと、ＬＥＤ４、９が点灯し、自動的に時間設定表示器４０６に設定時間が８ｈである「８」が表示され、送風手段１２を駆動する清涼運転を開始する。但し、室温が２３℃以下の場合は清涼運転は開始しない。
【００７３】
通電を開始すると、図８に示すように、送風手段１２を「強」とする清涼運転を規定時間Ｔ４（１．５ｈ）行い、次に送風手段１２を「中」とする清涼運転を規定時間Ｔ５（５ｈ）行い、次に送風手段１２を「弱」とする清涼運転を規定時間Ｔ６（１．５ｈ）行い、タイマーによる全ての運転を終了する。
【００７４】
また、夏コース操作キー４０３を押した後、設定時間キー４０８、４０９を押して設定時間を任意に選択することができ、その時の清涼運転の運転時間と送風手段１２の「強、中、弱」のレベルの関係は図７に示すよう設定時間によりに変化するようにしている。
【００７５】
このように、送風手段１２により寝床内の空気を吸引して、寝床内の汗による湿気を吸引すると共に、人体表面を空気が流れることにより、汗の気化熱を奪い体感温度を下げることができる。更に、就寝時の人の発汗量の変化や、体温変化のパターンに合わせて清涼運転の送風手段１２の風量を変化させることができるため快眠することができる。
【００７６】
また、送風手段１２を寝台５１に設けたことにより、送風手段１２の騒音や振動が寝ている人に届きにくくすることができるため快眠を妨げることがなくなる。
【００７７】
また、送風手段１２から排出される空気が寝台５１の下部の空間にスムーズに排出されるため、排出される空気が寝ている人に影響を与えることがなく清涼感が損なわれることがない。
【００７８】
次に、おまかせ快眠コースの春／秋コース操作キー４０２を押した時の動作を説明する。
【００７９】
春／秋コース操作キー４０２を押すと、室温が規定温度である２３℃以下のときはＬＥＤ７、１２、１３が点灯し、自動的に時間設定表示器４０６に「８」と、温度調節表示器４０７に「２」が表示され温熱運転を開始する。
【００８０】
温熱運転が開始されると、図１０（ａ）に示すように温度調節「９」で温熱手段６を０．５ｈ運転した後、温度調節「２」で残りの時間運転される。また、同様に室温が規定温度である２３℃以上のときに春／秋コース操作キー４０２を押すと、夏コースと同じように図１０（ｂ）に示すように温熱手段６は通電されず、送風手段１２を「中」とする清涼運転が８ｈ行われる。
【００８１】
このように、室温の変化に合わせて寝床内温度を暖めたり、また、暖めすぎを防止でき、温熱運転の効果を継続できる。
【００８２】
また、送風手段１２を通電して清涼運転を行い、寝床内の汗による湿気を吸引すると共に、人体表面を空気が流れることにより、汗の気化熱を奪い体感温度を下げたり、また、冷やし過ぎを防止することができる。
【００８３】
次に、お好み選択の操作キーで運転する場合について説明する。
【００８４】
清涼運転操作キー４１４を押すと、室温が２３℃以上の場合は、ＬＥＤ９が点灯し、そして自動的に時間設定表示器４０６に「８」が表示され、送風手段１２が通電される。但し、室温が２３℃以下の場合は、清涼運転操作キー４１４を押しても送風手段１２は通電されない。なお清涼運転操作キー４１４を押した後、設定時間キー４０８、４０９を操作すると設定時間が「１〜１２」の中から選択でき、この時の清涼運転の運転時間と送風手段１２の送風レベルは図９に示すように設定時間により変化するようにしている。
【００８５】
温熱運転操作キー４１２を押すと、ＬＥＤ７が点灯し、そして自動的に全面温熱ヒータ６ａと、設定時間「８」と、温度調節「３」が選択され、最初に強制的に温度調節「９」で０．５ｈ運転し、その後設定温度で加熱制御される。なお、温熱運転操作キー４１２を押した後、温熱面切換操作キー４１７を押すと、全面温熱ヒータ６ａと、足元温熱ヒータ６ｂの順に選択することができ、最後に表示されたヒータが選択できる。また、温熱運転操作キー４１２を押した後、温度調節キー４１０、４１１と時間設定キー４０８、４０９を押すと設定温度と時間設定を任意に選択することができ、設定時間は「１〜１２」の中から、温度調節は「１〜９」の中から選択することができる。
【００８６】
予熱運転操作キー４１５を押すと、最高３時間で温度調節「９」で温熱手段６を通電して温熱手段６を予熱する予熱運転を行うことができ、短時間で温熱効果を得ることができる。なおこの場合、時間設定キー４０８、４０９で「１〜３」を選択して設定することができる。
【００８７】
乾燥／防臭運転操作キー４１６を押すと、ＬＥＤ７、１１が点灯し、そして自動的に時間設定表示器４０６に「２」と、温度調節表示器４０７に「９」が表示される。そして、図１１に示すように温熱運転が開始され、規定時間Ｔ７（２ｈ）の温熱運転を開始し、タイマー運転の終了する前の規定時間Ｔ８（２０分）の間は送風手段１２を「強」で運転する。なお、乾燥／防臭運転操作キー４１６を押した後、時間設定キー４０８、４０９を操作すると「１、２」の中から選択して設定することができる。そして、寝床内温度を高い温度にし、このとき発生した水蒸気を送風手段１２により効果的に温熱治療器本体から放出することにより、ふとんの乾燥機能を増大することができる。
【００８８】
次に、使用後に清掃したり収納する場合は、接続線１１のコネクタを外し、緩衝体１を寝台５１から降ろして清掃する。また、寝台５１の可動台Ａ５５と可動台Ｂ５６を上に跳ね上げ寝台を縮め収納スペースを小さくして収納する。
【００８９】
このように緩衝体１内に送風手段１２がないため、緩衝体１の重量を軽くすることができるため、緩衝体１の清掃や収納、移動等の取り扱いが楽になるとともに、緩衝体１は異物感がなく使用感を良好にすることができる。
【００９０】
なお、上記の実施例では温熱手段６はコード状のヒータ線で構成したが、特にこれに限定されることはない。例えば、温熱手段は平面形状の発熱体で構成してもよい。
【００９１】
また、規定時間Ｔ１、Ｔ２、Ｔ３、Ｔ４、Ｔ５、Ｔ６、Ｔ７の値や、清涼運転を行うときの送風手段１２の送風レベルや、夏コース操作キー４０３を押したとき清涼運転を行わないと判断をする室温の値や、春／秋コース操作キー４０２を押したときの温熱運転を行うか清涼運転を行うかを判断する室温の値等は、上記実施例に限定されることはなく、適宜最適な値を選定すれば良い。
【００９２】
また、寝台５１の台５２は三分割して収納時に収納スペースが小さくなるようにしたが、特に三分割に限定されることはなく、二分割または三分割以上でも良い。
【図面の簡単な説明】
【００９３】
【図１】本発明の一実施例を示す温熱治療器の概略縦断面図である。
【図２】同じく概略斜視図である。
【図３】同じく緩衝体の概略斜視図である。
【図４】同じく未使用時に寝台を縮めた時の説明図である。
【図５】同じく制御回路のブロック図である。
【図６】同じくコントローラの操作キーの説明図である。
【図７】同じく冬コース運転動作説明図である。
【図８】同じく夏コース運転動作説明図である。
【図９】同じく清涼運転動作の詳細説明図である。
【図１０】同じく春／秋コース運転動作説明図である。
【図１１】同じく乾燥／防臭運転動作説明図である。
【符号の説明】
【００９４】
１  緩衝体
２  表布
３  吸引孔
４  空間材
５  保持シート
６  温熱手段
８  緩衝材
９  気体通路
１０  切り欠け部
１２  送風手段
１３  電源ユニット
１５  コントローラ
１９  制御手段
５１  寝台
５２  台
５５  可動台Ａ
５６  可動台Ｂ
５７  非可動台
【図１】
2005087234.tif 000003
【図２】
2005087234.tif 000004
【図３】
2005087234.tif 000005
【図４】
2005087234.tif 000006
【図５】
2005087234.tif 000007
【図６】
2005087234.tif 000008
【図７】
2005087234.tif 000009
【図８】
2005087234.tif 000010
【図９】
2005087234.tif 000011
【図１０】
2005087234.tif 000012
【図１１】
2005087234.tif 000013